(57)【要約】【課題】本考案は捕獲率を向上させると共にコイルバネ部材の傾きを任意に変更でき、セット場所に対応し易くなり、獣類の足首を切断することなく確実に捕獲できる括り罠用押しバネ式締付装置を堤供することを目的とする。【解決手段】一対の支持部材71を設けた踏板本体７と、該支持部材７に回動自在に装着した略コの字状の２つ帯板81，82から成る括り輪装着帯体８と、から少なくとも成る踏板Ａに用い、且つ、２つ帯板81，82にセットする締付け可能な括り輪部1aを形成した括りワイヤー１と、この括りワイヤー１が貫通するコイルバネ部材３と、該コイルバネ部材３の先端部と締付体２との間に首振用のバネ５を少なくとも装着し、且つ、コイルバネ部材３の後方に設けたワイヤー絞り止め金具４とコイルバネ部材３との間に管状のスペーサー６を少なくとも装着させた押しバネ式締付装置と成す。また括りワイヤー１の括り輪部1aの外周にストッパー1bを固着させると良い。【選択図】図１
0003172396.tif 000002
【実用新案登録請求の範囲】
【請求項１】
矩形状の踏板本体（７）と、該踏板本体（７）の長手方向中央で上下両側に取付けた一対の支持部材（71）と、該支持部材（71）に両開口端側を回動自在に装着した略コの字状の帯板（81）,（82）の２つから成り、この帯板（81）,（82）の中間部が前記踏板本体（７）の長手方向両端から突出する括り輪装着帯体（８）と、から少なくとも成る踏板（Ａ）に用いるものであって、前記踏板（Ａ）と、一端側に締付体（２）を介して締付け可能な括り輪部（1a）を形成した括りワイヤー（１）と、この括りワイヤー（１）が貫通するコイルバネ部材（３）と、該コイルバネ部材（３）の後方で前記括りワイヤー（１）に設けたワイヤー絞り止め金具（４）と、で少なくとも構成した押しバネ式締付装置に於いて、前記締付体（２）と前記コイルバネ部材（３）の先端部との間に首振用のバネ（５）を少なくとも装着し、且つ、前記ワイヤー絞り止め金具（４）と前記コイルバネ部材（３）の後端部との間に管状のスペーサー（６）を少なくとも装着したことを特徴とする括り罠用押しバネ式締付装置。
【請求項２】
前記括りワイヤー（１）の括り輪部（1a）の所定直径を確保するためのストッパー（1b）が、前記括り輪部（1a）の外周に固着された請求項１記載の括り罠用押しバネ式締付装置。
【請求項３】
前記バネ（５）が、前記コイルバネ部材（３）のコイルバネ（31）と同径で同じ線径で且つ同材質である請求項１記載の括り罠用押しバネ式締付装置。
【考案の詳細な説明】
【技術分野】
【０００１】
本考案は獣類を捕獲する括り罠に用いる押しバネ式締付装置に関する。
【背景技術】
【０００２】
従来、獣類を捕獲する装置として、獣類の足をワイヤー等で括って捕獲する括り罠が一般に知られている。この従来の一般的な括り罠としては、例えば実用新案登録第３０３８５１０号が提案されている。この捕獲用罠は、捕獲対象の通過道又は近傍に埋め込まれる筒状の本体と、可撓性を有する長尺材により形成されると共に、前記本体に挿通され、この本体から引き出されて前記捕獲対象の通過道上に延長された一端に締付け可能な輪状絞り部を備えた捕獲用絞り材と、前記本体の頂部に捕獲用絞り材が貫通する状態で嵌装された締付体と、この締付体を前記捕獲用絞り材により導かれ前記輪状絞り部に向かう方向に付勢する部材と、前記捕獲用絞り材の輪状絞り部が囲む通過道上の領域に配置され、捕獲対象の体重により変位する重量受体と、この重量受体の下側領域に於いて前記本体により回動可能に支持されると共に、一片が前記重量受体の下面に連結され、他片が前記締付体に設けた係合溝部に係合された変位伝達部材とを具備し、前記変位伝達部材の他片により前記締付体を付勢部材の付勢力に抗して本体に拘束すると共に、前記重量受体に捕獲対象の重量が作用した時、前記他片に連動して一片を回動変位させ前記本体に対する拘束を解除して、この締付体を付勢部材の付勢力により捕獲用絞り材の輪状絞り部に圧接してこの輪状絞り部を締付け、捕獲対象の身体のいずれかの部分を搦め捕るようにしたことを特徴とするものである。
【０００３】
前記実用新案登録第３０３８５１０号の括り罠用仕掛け補助器具に於いては、ワイヤーの括り輪を縮径する際に、踏板と連動するロック解除手段（トリガー具等）を必要とし、罠全体の構造が複雑でコスト的にも高価となる。又、このようなトリガー具を用いると、トリガー具の作動を確実にするためには、トリガー具と連動する踏板を設置する際に、踏板の下側地中を深く掘る必要が生じるため、踏板の設置作業に手間が掛かり、特に山中で足場が悪いと、その設置作業が難しい等の問題点を有していた。
【０００４】
このため、従来使用しているトリガー具を必要とせず、踏板自体がトリガー具の役目を兼備し、罠全体の構造が簡単でコストも安価なものとなる共に、罠の設置作業で地中に深い穴を掘る必要がなく、山中に於ける設置作業が極めて簡単な括り罠を、本考案者が実用新案登録第３１７００４２号で提案したところである。
【０００５】
この実用新案登録第３１７００４２号などで使用する括り罠用押しバネ式締付装置としては、一端側に締付体（２）を介して締付け可能な括り輪部（1a）を形成した括りワイヤー（１）と、この括りワイヤー（１）が貫通するコイルバネ部材（３）と、該コイルバネ部材（３）の後方で前記括りワイヤー（１）に設けたワイヤー絞り止め金具（４）と、で少なくとも構成した押しバネ式締付装置である。
【０００６】
しかしながら、実用新案登録第３１７００４２号などで使用する括り罠用押しバネ式締付装置は、括り輪装着帯体（８）の帯板（81）,（82）に括り輪部（1a）をセットすると、コイルバネ部材（３）が傾斜してしまうため、仕掛けがしにくくなり、設置場所を選ばなければならなかった。
【０００７】
又、括りワイヤー（１）に固定したワイヤー絞り止め金具（４）は、コイルバネ（31）の弾性力によってコイルバネ部材（３）の後端部に押圧された状態でセットされるため、ワイヤー絞り止め金具（４）の止めネジ（42）である蝶ネジを回す際、蝶ネジがコイルバネ部材（３）の後端部に接して回しにくいものであった。更に括り輪部（1a）は獣類の足首に食い込んで切断させる恐れがあり、足首を切断させると、獣類は３本足状態となって逃げ去っていた。
【先行技術文献】
【特許文献】
【０００８】
【特許文献１】実用新案登録第３０３８５１０号公報
【考案の概要】
【考案が解決しようとする課題】
【０００９】
本考案は獣類の捕獲率を向上させると共に括り罠のセットが簡単に行え、且つ、コイルバネ部材の傾きを任意に変更でき、セット場所に対応し易い括り罠用押しバネ式締付装置を堤供することを目的とする。
【００１０】
本考案の他の目的は、獣類の足首を切断することなく確実に捕獲できる括り罠用押しバネ式締付装置を提供するにある。
【課題を解決するための手段】
【００１１】
本考案は上記問題点を解消するために成されたもので、つまり、矩形状の踏板本体と、該踏板本体の長手方向中央で上下両側に取付けた一対の支持部材と、該支持部材に両開口端側を回動自在に装着した略コの字状の帯板の２つから成り、この帯板の中間部が踏板本体の長手方向両端から突出する括り輪装着帯体と、から少なくとも成る踏板に用いるものであって、踏板と、一端側に締付体を介して締付け可能な括り輪部を形成した括りワイヤーと、この括りワイヤーが貫通するコイルバネ部材と、該コイルバネ部材の後方で括りワイヤーに設けたワイヤー絞り止め金具と、で少なくとも構成した押しバネ式締付装置に於いて、前記締付体とコイルバネ部材の先端部との間に首振用のバネを少なくとも装着し、且つ、ワイヤー絞り止め金具とコイルバネ部材の後端部との間に管状のスペーサーを少なくとも装着させた構成とする。また前記括りワイヤーの括り輪部の所定直径を確保するためのストッパーが、括り輪部の外周に固着するものと成すのが好ましく、バネとして、コイルバネ部材のコイルバネと同径で同じ線径で且つ同材質のものを用いると良い。尚、本考案で言う「踏板本体の長手方向中央で上下両側に取付け」とは、図２に示す図中に於いて上下で且つそれぞれに取付け、且つ、その位置は長手方向の中央部に取付けることを指すものとする。又、本考案で言う「帯板の中間部」とは、両側から折曲して略コの字状に形成された際、開口側と反対側の真直ぐな基部側を指すものとする。
【考案の効果】
【００１２】
請求項１のように矩形状の踏板本体（７）と、該踏板本体（７）の長手方向中央で上下両側に取付けた一対の支持部材（71）と、該支持部材（71）に両開口端側を回動自在に装着した略コの字状の帯板（81）,（82）の２つから成り、この帯板（81）,（82）の中間部が前記踏板本体（７）の長手方向両端から突出する括り輪装着帯体（８）と、から少なくとも成る踏板（Ａ）に用いるものであって、踏板（Ａ）と、一端側に締付体（２）を介して締付け可能な括り輪部（1a）を形成した括りワイヤー（１）と、この括りワイヤー（１）が貫通するコイルバネ部材（３）と、該コイルバネ部材（３）の後方で括りワイヤー（１）に設けたワイヤー絞り止め金具（４）と、で少なくとも構成した押しバネ式締付装置に於いて、締付体（２）とコイルバネ部材（３）の先端部との間に首振用のバネ（５）を少なくとも装着することにより、コイルバネ部材（３）の傾きを任意に変更でき、セット場所に対応し易い括り罠用押しバネ式締付装置を得ることが出来るものとなると共にコイルバネ部材（３）を踏板本体（７）側に重ねるとコンパクトになるため、持ち運びし易いものとなる。又、ワイヤー絞り止め金具（４）とコイルバネ部材（３）の後端部との間に管状のスペーサー（６）を少なくとも装着することにより、ワイヤー絞り止め金具（４）の止めネジ（42）である蝶ネジを回す際、蝶ネジがコイルバネ部材（３）の後端部に接する恐れがなくなり、止めネジ（42）が簡単に回り、ワイヤー絞り止め金具（４）が止め易いものとなるため、自宅でコイルバネ部材（３）のセットが簡単にでき、現場で簡単に仕掛けることが出来るものとなる。
【００１３】
請求項２のように括りワイヤー（１）の括り輪部（1a）の所定直径を確保するためのストッパー（1b）が、括り輪部（1a）の外周に固着されることにより、獣類の足首に強く括りワイヤー（１）が食い込む恐れがなくなって、その足首を切断することなく確実に捕獲できるものとなる。
【００１４】
請求項３に示すようにバネ（５）として、コイルバネ部材（３）のコイルバネ（31）と同径で同じ線径で且つ同材質で長さの違うものを使用することにより、製作費を安くすることが出来るものとなる。
【図面の簡単な説明】
【００１５】
【図１】本考案の実施形態を示す説明図である。
【図２】本実施形態の括り罠全体を示す平面図である。
【図３】本実施形態の首振用のバネを装着した状態を示す説明図である。
【考案を実施するための形態】
【００１６】
本考案の実施形態を図１〜図３に基づいて説明する。（Ａ）は踏板であり、該踏板（Ａ）は金属製で後述する踏板本体（７），支持部材（71），括り輪装着帯体（８），設置枠（９）などとから少なくとも構成されたものである。この踏板（Ａ）としては、実用新案登録第３１７００４２号で用いるものを利用するのが好ましい。尚、前記踏板（Ａ）は図中に示す構造のものに限定されるものではない。（１）は一端側に後述する締付体（２）を介して締付け可能な括り輪部（1a）を形成した括りワイヤーであり、この括りワイヤー（１）としては、各数本の金属細線を撚り合せた柔軟性のあるもので、動物の足が容易に括り付けられるように弾力性を付勢可能となるものが好ましく、その太さとしては、例えば４ｍｍ〜５ｍｍ程度のものが好ましい。又、前記括りワイヤー（１）の括り輪部（1a）の所定直径を確保するための金属製のストッパー（1b）を、前記括り輪部（1a）の外周に固着させておくと良い。尚、前記所定直径としては、猪などの大型獣類の足首がしっかりと締付け出来ると共に兎などの小型獣類の足首が抜けない径であれば良い。
【００１７】
（２）は締付体であり、該締付体（２）は図３に示すように、湾曲形状のガイド箇所に長穴（2a）を穿設し、下方の座部（21）と平行な上方の突出片（22）とを一体に形成した金属製の金具であり、座部（21）には括りワイヤー（１）が挿通する丸穴（21a）を穿設し、突出片（22）の丸穴（21a）から引き出された括りワイヤー（１）が長穴（2a）を挿通し、括り輪部（1a）を形成し、その括り輪部（1a）の先端部を突出片（22）に穿設した丸穴（22a）に挿通し、挿通した先端部を結んで抜けないようにしている。この締付体（２）は後述するコイルバネ部材（３）の弾発力で括り輪部（1a）を縮径する役目を成す。尚、前記締付体（２）の形状は上記形状に限定されるものではない。
【００１８】
（３）は括りワイヤー（１）を貫通させると共に締付体（２）の下部に位置させた圧縮用のコイルバネ部材であり、該コイルバネ部材（３）は、括り輪部（1a）を縮径するためのコイルバネ（31）と、そのコイルバネ（31）を収納する塩化ビニールなどの合成樹脂製のパイプ（32）と、該パイプ（32）に冠着する塩化ビニールなどの合成樹脂製のキャップパイプ（33）とから成されている。前記コイルバネ（31）は圧縮した状態で弾発力を付与させるものであり、その弾発力は、括りワイヤー（１）の括り輪部（1a）が縮径して捕獲した動物の足から決して外れない強さのものを用いる。尚、前記コイルバネ部材（３）は上記材質に限定されるものではない。
【００１９】
（４）はコイルバネ部材（３）の後方に設けたワイヤー絞り止め金具であり、該ワイヤー絞り止め金具（４）には括りワイヤー（１）を挿通する六角柱状の胴体（41）と、該胴体（41）に取付けて括りワイヤー（１）に固定するための蝶ネジなどの２個の止めネジ（42）とがある。このワイヤー絞り止め金具（４）をセットする場合は、コイルバネ（31）を圧縮する際に、手でコイルバネ部材（３）側へ押して圧縮させ、所定の圧縮が完了した位置で２個の止めネジ（42）を括りワイヤー（１）にネジ込み、その位置に圧縮状態のコイルバネ（31）を弾発的に保持するためのものである。尚、前記ワイヤー絞り止め金具（４）は図中に示すものに限定されるものではなく、従来から使用しているものを用いても良い。
【００２０】
（５）は締付体（２）とコイルバネ部材（３）の先端部との間に装着した首振用のバネであり、該バネ（５）は、コイルバネ部材（３）のコイルバネ（31）と同径で同じ線径で且つ同材質のものを用い、それを適宜長さに切ったものを用いると良い。この首振用のバネ（５）を設けることにより、コイルバネ部材（３）が左右や上下に曲げられて、コイルバネ部材（３）の方向が自由に変えられるものとなる。（６）はワイヤー絞り止め金具（４）とコイルバネ部材（３）の後端部との間に装着する管状でステンレス製のスペーサーである。尚、前記スペーサーは管状でステンレス製のものに限定されるものではない。（７）は矩形状の踏板本体であり、該踏板本体（７）には、その長手方向中央で上下両側（図中に於いては上下方向）に一対の支持部材（71）が取付けられており、該支持部材（71）は金属板を断面Ｌ字状に折曲して形成され、踏板本体（７）に対して上下移動可能に取付けられている。また踏板本体（７）の長手方向に沿って外縁を折曲して立設したガイド片や、踏板本体（７）に穿設した１個或いは２個以上の踏板（Ａ）の紛失防止用の小穴などがある。尚、この踏板本体（７）は実用新案登録第３１７００４２号で用いるものを利用するのが好ましい。
【００２１】
（８）は支持部材（71）に両開口端側を回動自在に装着した略コの字状の金属製帯板（81）,（82）の２つから成る括り輪装着帯体であり、該踏板本体（７）の長手方向両端から帯板（81）,（82）が突出する。また括り輪装着帯体（８）としては、実用新案登録第３１７００４２号で用いるものを利用するのが好ましい。（９）は踏板本体（７）が落下可能に支えられて設置するための金属製の設置枠であり、該設置枠（９）は、実用新案登録第３１７００４２号で用いるものを利用するのが好ましい。（10）は平ワッシャーであり、該平ワッシャー（10）は、コイルバネ部材（３）とバネ（５）の間、及びコイルバネ部材（３）とワイヤー絞り止め金具（４）の間に入れて使用する。（11）は踏板（Ａ）を設置する際に、捕獲した動物が暴れて踏板（Ａ）が山中の谷間等に落ちて紛失するのを防止するための保持用ワイヤーである。
【００２２】
先ず始めに本考案の括り罠の設置について説明する。予め実用新案登録第３１７００４２号の場合と同様に行えば良い。つまり、捕獲する目的の獣類に予め調節された踏板（Ａ）の帯板（81）,（82）の外周に、括りワイヤー（１）の括り輪部（1a）を回し掛けて装着し、ワイヤー絞り止め金具（４）を括り輪部（1a）の方向に手で押して、コイルバネ（31）を、締付体（２）を介して圧縮状態にさせ、その状態でワイヤー絞り止め金具（４）の２個の止めネジ（42）を締付けて、ワイヤー絞り止め金具（４）を括りワイヤー（１）に固定する。この時、括りワイヤー（１）は締付体（２）とコイルバネ部材（３）との間に首振用のバネ（５）が装着されているため、コイルバネ部材（３）が上下や左右自在に動かせるものとなっている。又、コイルバネ部材（３）の後端部にスペーサー（６）を設けているため、コイルバネ（31）の弾性力によってコイルバネ部材（３）の後端部に押圧された状態でセットする際、止めネジ（42）である蝶ネジを回す時に、蝶ネジがコイルバネ部材（３）の後端部に接することなく容易に回すことが出来るものとなるのである。尚、前記止めネジ（42）をワイヤー絞り止め金具（４）に２個取付けることにより、しっかりと括りワイヤー（１）に固定出来るものとなる。この時の括り輪部（1a）は、コイルバネ（31）の弾発力と締付体（２）によって、括り輪装着帯体（８）に弾発的に装着される。これで踏板（Ａ）に対する括りワイヤー（１）の設置準備は完了する。尚、本考案品は前記設置準備が自宅で容易に行えるものである。
【００２３】
次に本考案の括り罠を設置する場所について説明する。予め地面に浅い穴を掘り、該穴の内部に設置枠（９）を置き、その上に、括り輪部（1a）を装着した括り輪装着帯体（８）を乗せて踏板（Ａ）を設置する。そして、踏板（Ａ）の設置が完了した後、括りワイヤー（１）の端部を立木又は地中に打ち込んだ杭に結ぶと共に踏板本体（７）の小穴に挿通して挿入した保持用ワイヤー（11）の端部を括りワイヤー（１）が結んだ立木や根に結び、更に踏板（Ａ）の上に落ち葉や土を被せる。これで括り罠の設置が完了する。以上の作業は実用新案登録第３１７００４２号で行う作業と略同じである。この時、コイルバネ部材（３）は、設置場所に邪魔な岩や根などの出っ張りがあっても、コイルバネ部材（３）が出っ張りに触らないようにずらすことで、簡単にセットできるものとなる。
【００２４】
次に獣類の足が踏板本体（７）の上に乗ると、踏板本体（７）が下がって設置枠（９）の底面に接すると共に帯板（81）,（82）は回転し、括り輪装着帯体（８）に装着している括り輪部（1a）が勢いよく外れ、同時にコイルバネ部材（３）の弾発力で括り輪部（1a）が瞬時に縮径し、踏板（Ａ）の踏板本体（７）に乗った獣類の足を括り捕獲するのである。  この時、帯板（81）,（82）に溝を形成させておくと、より一層確実に獣類の足が挿入されて括り付けられ、獣類の捕り逃がしが殆んどなくなるのである。又、この時、括りワイヤー（１）の括り輪部（1a）の所定直径を確保するためのストッパー（1b）が、括り輪部（1a）の外周に固着されるものを使用すると、獣類の足首を切断することなく確実に捕獲できるものとなると共に獣類の捕獲率が向上するものとなる。
【符号の説明】
【００２５】
Ａ  踏板
１  括りワイヤー
1a  括り輪部
1b  ストッパー
２  締付体
３  コイルバネ部材
31  コイルバネ
４  ワイヤー絞り止め金具
５  バネ
６  スペーサー
７  踏板本体
71  支持部材
８  括り輪装着帯体
81,82  帯板
【図１】
0003172396.tif 000003
【図３】
0003172396.tif 000004
【図２】
0003172396.tif 000005